(57)【要約】【課題】  撮影行為の発見を確実に検知することにより、デジタル万引きの摘発や抑止効果を向上させることができる、音声検知システム、デジタル万引き防止システム、デジタル万引き防止装置及びその方法を提供する。【解決手段】  少なくとも１以上の集音マイクから集音された撮影禁止エリアの音声を音声信号として常時受信し、来客者が撮影禁止エリアで撮影行為をすると、各集音マイクが音声を集音し、集音した音声と、データベース化された少なくとも１以上のシャッター音サンプルデータとを比較し、シャッター音であるかどうかを識別し、シャッター音である場合、警告音を発する。【選択図】  図１
2005196539.tif 000002
【特許請求の範囲】
【請求項１】
所定のエリアに設置される少なくとも１以上の集音装置と、
前記集音装置と接続される音声検知装置と、を有する音声検知システムであって、
前記集音装置が前記エリア内の音声を集音する音声集音手段と、
前記集音した音声と、前記音声検知装置内に記憶される少なくとも１以上の音声のサンプルデータとを比較し、前記音声が登録された音であるかどうかを識別する登録音識別手段と、
登録された音であった場合、異常があったことを報知する異常報知手段と、
を有することを特徴とする音声検知システム。
【請求項２】
複数の集音装置が前記登録された音を検知した場合、前記登録された音の音量を該集音装置ごとに数値化し、音量値の大小及び前記各集音装置の位置を比較することによって、前記登録された音の発信位置を特定する位置特定手段をさらに有することを特徴とする請求項１記載の音声検知システム。
【請求項３】
撮影が禁止されたエリアである撮影禁止エリアに設置される少なくとも１以上の集音装置と、
前記集音装置と接続されるデジタル万引き防止装置と、を有するデジタル万引き防止システムであって、
前記集音装置が前記撮影禁止エリア内の音声を集音する音声集音手段と、
前記集音した音声と、前記デジタル万引き防止装置内に記憶される少なくとも１以上のシャッター音のサンプルデータとを比較し、前記音声がシャッター音であるかどうかを識別するシャッター音識別手段と、
シャッター音であった場合、盗み撮りがあったことを報知する報知手段と、
を有することを特徴とするデジタル万引き防止システム。
【請求項４】
複数の集音装置がシャッター音を検知した場合、前記シャッター音の音量を該集音装置ごとに数値化し、音量値の大小及び前記各集音装置の位置を比較することによって、前記シャッター音の発信位置を特定する位置特定手段をさらに有することを特徴とする請求項３記載のデジタル万引き防止システム。
【請求項５】
撮影が禁止されたエリアである撮影禁止エリアの音声を集音する少なくとも１以上の集音部と、
前記各集音部から前記音声を引き込む集音部引き込み部と、
シャッター音のサンプルデータを複数パターン蓄積しているシャッター音サンプルデータ蓄積部と、
前記集音した音声信号と、前記少なくとも１以上のシャッター音のサンプルデータとを比較し、前記音声信号がシャッター音であるかどうかを識別するシャッター音比較部と、
前記各部を制御する制御部と、
を有することを特徴とするデジタル万引き防止装置。
【請求項６】
複数の集音部が集音した各音声信号の音量の大小を数値化する音量比較／計測部と、
前記数値化によりシャッター音の発信位置を特定する位置特定部と、
特定した前記発信位置を表示する位置表示部と、
をさらに有することを特徴とする請求項５記載のデジタル万引き防止装置。
【請求項７】
少なくとも１以上の集音マイクから集音された撮影禁止エリアの音声を音声信号として常時受信し、
来客者が前記撮影禁止エリアで撮影行為をすると、前記各集音マイクが音声を集音し、
前記集音した音声と、データベース化された少なくとも１以上のシャッター音サンプルデータとを比較し、シャッター音であるかどうかを識別し、
シャッター音である場合、警告音を発することを特徴とするデジタル万引き防止方法。
【請求項８】
複数の集音マイクからシャッター音が検出された場合、該シャッター音の音量の大小及び差異を計測し、
該計測結果から前記シャッター音の発信地点を特定して表示することを特徴とする請求項７記載のデジタル万引き防止方法。
【発明の詳細な説明】
【技術分野】
【０００１】
本発明は、カメラ機能付きの携帯電話やデジタルカメラ等を使用して行われる盗み撮りを防止する音声検知システム、デジタル万引き防止システム、デジタル万引き防止装置及びその方法に関する。
【背景技術】
【０００２】
現在、書店や図書館に陳列されている書籍等や、美術館又は博物館の展示品をカメラ機能付きの携帯電話やデジタルカメラ等を使用して許可無く盗み撮りされること（以下、デジタル万引きという）が問題となっている。このようなデジタル万引きは、店舗の売り上げ減少の原因につながってしまうことのほか、著作権保護の観点から非常に重要な問題となっている。そして、このような問題に対して、店舗等は、顧客のモラルに頼ったり、店員、警備人による監視を行ったり、店内等に張り紙や放送などによる促しや警告を行ったりしている。また、店内などに規定の電波、音波を流して携帯電話やデジカメを検知した場合、強制的に撮影禁止モードになる方式等で対応している。
【０００３】
従来技術例として、携帯端末本体が不自然な角度に傾けられた場合に撮像を禁止する「携帯端末」がある（例えば、特許文献１参照）。また、開閉式のカメラ付き携帯電話等において、電話を閉じた状態で撮像した場合、シャッター音を大きくしたり、音声をスピーカから発生させて撮影があったことを外部に知らせたりする「開閉式通信端末装置」がある（例えば、特許文献２参照）。
【特許文献１】特開２００２−２９０８１８号公報
【特許文献２】特開２００３−１９８８９２号公報
【発明の開示】
【発明が解決しようとする課題】
【０００４】
しかしながら、実際には顧客のモラルが守られず、また、人的な監視では費用面だけでなく、注意が行き届かないといった摘発の限界がある。また、促しや警告ではモラルが守られず、さらに、上記特許文献１及び２記載のように、携帯電話やデジカメに特殊機能を搭載する必要があり、仕様制定や導入に時間を要するだけでなく、旧タイプをカバー出来ない、等の問題があった。
【０００５】
本発明は、上記事情に鑑みてなされたものであり、撮影時のシャッター音を感知することによって、デジタル万引きの発生を確実に検知できる音声検知システム、撮影デジタル万引き防止システム、デジタル万引き防止装置及びその方法を提供することを目的とする。
【課題を解決するための手段】
【０００６】
かかる目的を達成するために、本発明の音声検知システムは、所定のエリアに設置される少なくとも１以上の集音装置と、集音装置と接続される音声検知装置と、を有する音声検知システムであって、集音装置がエリア内の音声を集音する音声集音手段と、集音した音声と、音声検知装置内に記憶される少なくとも１以上の音声のサンプルデータとを比較し、音声が予め登録された音であるかどうかを識別する登録音識別手段と、登録された音であった場合、異常があったことを報知する異常報知手段と、を有することを特徴とする。
【０００７】
また、本発明の音声検知システムは、複数の集音装置が登録された音を検知した場合、登録された音の音量を集音装置ごとに数値化し、音量値の大小及び各集音装置の位置を比較することによって、登録された音の発信位置を特定する位置特定手段をさらに有することを特徴とする。
【０００８】
また、本発明のデジタル万引き防止システムは、撮影が禁止されたエリアである撮影禁止エリアに設置される少なくとも１以上の集音装置と、集音装置と接続されるデジタル万引き防止装置と、を有するデジタル万引き防止システムであって、集音装置が撮影禁止エリア内の音声を集音する音声集音手段と、集音した音声と、デジタル万引き防止装置内に記憶される少なくとも１以上のシャッター音のサンプルデータとを比較し、音声がシャッター音であるかどうかを識別するシャッター音識別手段と、シャッター音であった場合、盗み撮りがあったことを報知する報知手段と、を有することを特徴とする。
【０００９】
また、本発明のデジタル万引き防止システムは、複数の集音装置がシャッター音を検知した場合、シャッター音の音量を集音装置ごとに数値化し、音量値の大小及び各集音装置の位置を比較することによって、シャッター音の発信位置を特定する位置特定手段をさらに有することを特徴とする。
【００１０】
また、本発明のデジタル万引き防止装置は、撮影が禁止されたエリアである撮影禁止エリアの音声を集音する少なくとも１以上の集音部と、各集音部から音声を引き込む集音部引き込み部と、シャッター音のサンプルデータを複数パターン蓄積しているシャッター音サンプルデータ蓄積部と、集音した音声信号と、少なくとも１以上のシャッター音のサンプルデータとを比較し、音声信号がシャッター音であるかどうかを識別するシャッター音比較部と、各部を制御する制御部と、を有することを特徴とする。
【００１１】
また、本発明のデジタル万引き防止装置は、複数の集音部が集音した各音声信号の音量の大小を数値化する音量比較／計測部と、数値化によりシャッター音の発信位置を特定する位置特定部と、特定した発信位置を表示する位置表示部と、をさらに有することを特徴とする。
【００１２】
また、本発明のデジタル万引き防止方法は、少なくとも１以上の集音マイクから集音された撮影禁止エリアの音声を音声信号として常時受信し、来客者が撮影禁止エリアで撮影行為をすると、各集音マイクが音声を集音し、集音した音声と、データベース化された少なくとも１以上のシャッター音サンプルデータとを比較し、シャッター音であるかどうかを識別し、シャッター音である場合、警告音を発することを特徴とする。
【００１３】
また、本発明のデジタル万引き防止方法は、複数の集音マイクからシャッター音が検出された場合、シャッター音の音量の大小及び差異を計測し、計測結果からシャッター音の発信地点を特定して表示することを特徴とする。
【発明の効果】
【００１４】
本発明によれば、上記デジタル万引きを完全かつ未然に防止する事を目的とせず、撮影行為の発見を確実に検知し、盗み撮りを行った者に対して速やかに注意を促せることにより、デジタル万引きの摘発や抑止効果を向上させることができる。
【００１５】
また、本発明によれば、携帯電話等のカメラに特殊機能の組み込みの必要が無いので、全てのカメラ機能付き携帯電話やデジタルカメラを対象にできるので、特殊機能を搭載する必要がなく、また、仕様制定や導入の時間が不要であり、さらに旧タイプをカバー出来ない等の問題を解決することができる。
【発明を実施するための最良の形態】
【００１６】
以下、本発明を実施するための最良の形態について添付図面１〜４を参照して詳細に説明する。
【００１７】
（発明の特徴）
一般的カメラはもともとシャッター音が出るが、携帯電話やデジタルカメラ等のカメラ機能付携帯端末装置も盗撮防止のため「擬似シャッター音」が付加されている。本発明は、このシャッター音及び擬似シャッター音を利用することを特徴としている。
【００１８】
本発明は、例えば、書店や美術館などにおいて、「シャッター音」を検知するセンサーを天井などに複数設置し、書籍や展示品が許可無く撮影された時、撮影された場所を特定し、店員又は警備員などがすぐ駆けつけられる事を可能にするものである。また、このような盗み撮りの現行犯摘発が可能であるので、デジタル万引きの摘発だけでなく、デジタル万引きの抑止効果もある。
【実施例１】
【００１９】
図１に示すように、書店、図書館、美術館、博物館、展示会、及び展覧会等において、撮影禁止エリア１内の音声を集音する集音マイク２Ａ〜Ｅを天井や壁等に複数（又は単数）設置する。この集音マイク２は一般的な集音マイクであり、高感度、指向性、無線／有線タイプ等のものを適用できる。上記集音マイク２Ａ〜Ｅは集中監視センター３へそれぞれ接続される。
【００２０】
また、図１に示すように、撮影禁止エリア１とは別の場所（撮影禁止エリア内部でもよい）に集中監視センター３を具備する。この集中監視センター３は、警備員が詰めている警備室を想定しており、図示しない監視ＴＶモニター、連絡電話、及び警報機等を備えている。また、図１に示すように、デジタル万引き防止装置６を備えている。なお、デジタル万引き防止装置６は、図２に示す内部構成を有する、ＰＣ等の情報処理端末であり、音声認識により音声を検知する装置である。また、本実施例ではデジタル万引き防止装置６と各集音マイク２Ａ〜Ｅとを別々の構成としたが、集音マイク等の集音部を装置本体と一体化した構成でもよい。
【００２１】
図２に示すように、デジタル万引き防止装置６は、各集音マイク２Ａ〜Ｅから音声信号を引き込む集音マイク引き込み部７、予め登録されたシャッター音のサンプルデータを複数パターン蓄積しているシャッター音サンプルデータベース１０、集音した音声信号と、上記シャッター音のサンプルデータのシャッター音パターンとを比較し、シャッター音であるかどうかを識別するシャッター音比較部９、集音マイクごとに集音した各音声信号の音量の大小を計測し、数値化する音量比較／計測部８、音量比較／計測部８の計測結果によりシャッター音発信位置を特定する位置特定部１１、特定された位置を表示する位置表示部１２、とを備えている。なお、上記各部は、図示しないＣＰＵによって制御される。
【００２２】
集中監視センター３のデジタル万引き防止装置６は、集音された中から「シャッター音」を識別するアルゴリズムを具現化したプログラムを具備する。このプログラムは、一般的なカメラ、デジタルカメラ、及びカメラ付き携帯電話等の移動体通信端末のシャッター音をサンプルデータとして、図２に示すサンプルデータベース１０に予め記憶しておき、各集音マイク２からの音と各サンプルデータを比較し、一致するかどうかを照合するというものである。ここで、カメラ、デジタルカメラ、及び携帯電話のシャッター音は自然の音や擬声音を含めて多様であるので、それら複数のシャッター音パターンを記憶しておく必要がある。
なお、このシャッター音識別プログラムは、デジタル万引き防止装置６内の図示しない記憶部に保持されており、図示しないＣＰＵに読みだされて実行される。
【００２３】
また、監視センター３のデジタル万引き防止装置６は、「シャッター音」を感知して複数のマイクから直近の位置を特定するアルゴリズムを具現化したプログラムを具備する。このプログラムは、各集音マイクの音量を計測し、音量レベルを数値化する。そして、シャッター音確定した場合、この音量値と集音マイクの位置から場所を特定する。例えば、図３に示すように、音量値がそれぞれａ＝５、ｂ＝３、ｃ＝２、ｄ＝１であった場合、数値が最も大きいａの直近であるｘをシャッター音発生地として特定できるというものである。
なお、この直近位置特定プログラムは、デジタル万引き防止装置６内の図示しない記憶部に保持されており、図示しないＣＰＵに読みだされて実行される。
【００２４】
次に、本発明の実施例であるデジタル万引き防止装置６の処理動作について図２及び図４を参照して説明する。
【００２５】
集中監視センター３にあるデジタル万引き防止装置６は、各集音マイクＡ〜Ｅから集音された撮影禁止エリア１の音声を、音声信号として集音マイク引き込み部７から常時受信している。来客者が、ある地点で撮影行為をすると、シャッターと同時にシャッター音が周りへ拡散され、天井・壁に設置されている各集音マイクＡ〜Ｅで集音される（Ｓ１）。シャッター音比較部９は、集音マイク引き込み部７を介した音声信号と、データベース化してあるシャッター音サンプルデータの複数のパターンとを比較し、シャッター音であるかどうかを識別する（Ｓ２）。この時行われる音声識別は、一般的に音声認識方法として利用されている音声信号のスペクトル分析である。そして、複数の集音マイクからシャッター音が検出された場合（Ｓ３／ＹＥＳ）、シャッター音の音量の大小及び差異を音量比較／計測部８で計測し、その結果から位置特定部１１がシャッター音の発信地点を特定する（Ｓ４）。
【００２６】
そして、集中監視センター３では特定地点を位置表示部１２である、表示板や表示ボード等へ表示すると共に、警告（Alarm ）を発し、集中監視センター３にいる監視員へ通告する（Ｓ５）。監視員は各フロアの店員（監視員）へ無線、口頭により特定地点を含めて通知する。
【００２７】
よって、本発明の実施例によれば、デジタル万引きを完全かつ未然に防止する事を目的とせず、撮影行為の発見を確実に検知し、盗み撮りを行った者に対して速やかに注意を促せることにより、デジタル万引きの摘発や抑止効果を向上させるデジタル万引き防止システム、デジタル万引き防止装置及びデジタル万引き防止方法を提供することができる。
【００２８】
また、本発明の実施例によれば、携帯電話等のカメラに特殊機能の組み込みの必要が無いので、全てのカメラ機能付き携帯電話やデジタルカメラを対象にできるので、特殊機能を搭載する必要がなく、また、仕様制定や導入の時間が不要であり、さらに旧タイプをカバー出来ない等の問題を解決することができる。
【実施例２】
【００２９】
上記実施例１では、検知する対象の音声をシャッター音としたが、その他の音を検知対象としてもよい。例えば、水族館等で水槽を叩く音やデパート等のショーケースを叩く音を検知するようにすることで、未然に事故や盗難等の犯罪を防止することができる。よって本発明の実施例によれば、幅広い音声を検知対象とすることによって、デジタル万引き以外の犯罪等を防止する音声検知システムを実現できる。
【００３０】
以上、本発明の実施例について説明したが、上記実施例に限定されるものではなく、その要旨を逸脱しない範囲において種々の変形が可能である。
【図面の簡単な説明】
【００３１】
【図１】本発明の実施例であるデジタル万引き防止システムを示す図である。
【図２】本発明の実施例であるデジタル万引き防止装置の構成を示すブロック図である。
【図３】本発明の実施例であるデジタル万引き防止装置に係る位置特定処理を示す図である。
【図４】本発明の実施例であるデジタル万引き防止装置の処理動作を示すフロー図である。
【符号の説明】
【００３２】
１    撮影禁止エリア
２    集音マイク
３    集中監視センター
４    カメラ
５    携帯電話
６    デジタル万引き防止装置
７    集音マイク引き込み部
８    音量比較／計測部
９    シャッター音比較部
１０    シャッター音サンプルデータベース
１１    位置特定部
１２    位置表示部
【図１】
2005196539.tif 000003
【図２】
2005196539.tif 000004
【図３】
2005196539.tif 000005
【図４】
2005196539.tif 000006